(57)【特許請求の範囲】
【請求項１】
番組を表す放送デジタル信号としてのデジタルテレビジョン信号及びＩＰＴＶ（インターネットプロトコルテレビジョン）信号を記録可能な記録部を有するデジタル放送メディア記録装置であって、
放送が予定されているデジタルテレビジョン番組またはＩＰＴＶ番組を識別する識別子と、当該番組を表す前記デジタルテレビジョン信号またはＩＰＴＶ信号の少なくとも一つの属性を識別する属性データとを有し、前記デジタルテレビジョン信号及びＩＰＴＶ信号で表されるシグナリングデータをそれぞれ読み取る読み取り手段と、
放送が予定されている一つのデジタルテレビジョン番組またはＩＰＴＶ番組が既に録画されているか否かを、前記放送が予定されている一つの番組の識別子と、録画された前記デジタルテレビジョン番組及びＩＰＴＶ番組のそれぞれの識別子とを比較することによって判定し、当該番組が録画されていると判定された場合、前記放送が予定されている番組を表す前記デジタルテレビジョン信号またはＩＰＴＶ信号の前記属性を識別する前記読み取られた属性データと、前記録画された番組を表すデジタルテレビジョン信号またはＩＰＴＶ信号の前記属性を識別する前記読み取られた属性データとを比較することによって、前記放送が予定されている番組を録画すべきか否かを、ユーザとの対話処理無しに決定する判定手段と、
前記判定手段により前記放送が予定されている番組が録画すべきであると決定された場合に、前記記録部に前記放送が予定されている番組を表す前記デジタルテレビジョン信号またはＩＰＴＶ信号を記録させるよう制御する制御手段と
を具備するデジタル放送メディア記録装置。
【請求項２】
請求項１に記載のデジタル放送メディア記録装置であって、
デジタルテレビジョン信号を受信してデコードする受信機／デコーダ手段をさらに具備し、
前記記録部で記録される前記放送デジタル信号は前記受信機／デコーダ手段により受信されデコードされる
デジタル放送メディア記録装置。
【請求項３】
請求項２に記載のデジタル放送メディア記録装置であって、
前記シグナリングデータは、前記受信機／デコーダ手段により受信されデコードされる
デジタル放送メディア記録装置。
【請求項４】
請求項１乃至３のいずれか一項に記載のデジタル放送メディア記録装置であって、
前記番組を表す前記デジタル信号の前記属性は、前記放送デジタル信号の少なくとも一つのビデオ属性を有する
デジタル放送メディア記録装置。
【請求項５】
請求項４に記載のデジタル放送メディア記録装置であって、
前記少なくとも一つのビデオ属性は、ビデオ画像解像度である
デジタル放送メディア記録装置。
【請求項６】
請求項１乃至５のいずれか一項に記載のデジタル放送メディア記録装置であって、
前記シグナリングデータは、デジタルビデオ放送規格に準拠したテーブルで構成される
デジタル放送メディア記録装置。
【請求項７】
請求項１乃至６のいずれか一項に記載のデジタル放送メディア記録装置であって、
前記シグナリングデータはTV-Anytime Forum（ティー・ブイ・エニータイム・フォーラム）の仕様に準拠し、前記識別子はコンテンツ参照識別子（ＣＲＩＤ）である
デジタル放送メディア記録装置。
【請求項８】
請求項７に記載のデジタル放送メディア記録装置であって、
前記読み取り手段は、予定されている番組の前記コンテンツ参照識別子を識別するために番組ロケーションテーブル（ＰＬＴ）を検索する
デジタル放送メディア記録装置。
【請求項９】
請求項７または８に記載のデジタル放送メディア記録装置であって、
前記読み取り手段は、予定されている番組のコンテンツ参照識別子を事前に設定された時刻に検索するよう設定されている
デジタル放送メディア記録装置。
【請求項１０】
請求項６乃至９のいずれか一項に記載のデジタル放送メディア記録装置であって、
前記読み取り手段は、前記番組を表す前記放送デジタル信号の前記少なくとも一つの属性を番組情報テーブル（ＰＩＴ）から抽出する
デジタル放送メディア記録装置。
【請求項１１】
請求項１乃至１０のいずれか一項に記載のデジタル放送メディア記録装置であって、
前記番組を表す前記デジタル信号の前記少なくとも一つの属性は、前記放送デジタル信号の少なくとも一つのオーディオ属性を有する
デジタル放送メディア記録装置。
【請求項１２】
請求項１乃至１１のいずれか一項に記載のデジタル放送メディア記録装置であって、
前記記録部に放送デジタル信号を記録させる前記手段は、さらに前記番組を表す前記記録されたデジタル信号を削除させる
デジタル放送メディア記録装置。
【請求項１３】
請求項１乃至１２のいずれか一項に記載のデジタル放送メディア記録装置であって、
前記制御手段は、さらに前記番組を表す前記放送デジタル信号の前記属性の一つ以上を記録させる
デジタル放送メディア記録装置。
【請求項１４】
請求項１乃至１３のいずれか一項に記載のデジタル放送メディア記録装置であって、
前記判定手段は、
放送が予定されている前記番組の中から、その番組については前記装置が違う放映を録画するという命令を記憶した番組の更なる放映があるか否かを、前記放送が予定されている番組の識別子と、前記装置が前記命令を記憶したそれぞれの番組の識別子とを比較することによって判定し、更なる放映があると判定されると、前記放送が予定されている番組の前記更なる放映を表す前記放送デジタル信号の前記属性を識別する前記読み取られた属性データと、前記装置が前記命令を記憶した前記番組の前記違う放映を表す前記デジタル信号の前記属性を識別する前記読み取られた識別データとを比較することによって、前記番組の前記更なる放映を録画すべきか否かを決定するようにさらに設定されている
デジタル放送メディア記録装置。
【請求項１５】
請求項１乃至１４のいずれか一項に記載のデジタル放送メディア記録装置であって、
電子番組ガイドを提供する手段をさらに具備し、
前記番組ガイドを提供する手段は、
放送が予定されている番組を表示し、
ユーザが前記予定から録画用の番組の一回の放映を選択することを可能にし、
前記ユーザが前記選択された番組に関して今後の更なる放映の録画の設定をすることを可能にするものであり、
前記判定手段及び制御手段は、前記設定がされたことに応じて作動する
デジタル放送メディア記録装置。
【請求項１６】
請求項１乃至１５のいずれか一項に記載のデジタル放送メディア記録装置であって、
前記記録部は、前記装置に一体化しているハードドライブ、外部ハードドライブ、フラッシュメモリカード、フラッシュメモリスティック、ＣＤ、ＤＶＤ、または任意の他の適当なデータ記憶媒体のいずれか一つに記録することができる
デジタル放送メディア記録装置。
【請求項１７】
番組を表す放送デジタル信号としてのデジタルテレビジョン信号及びＩＰＴＶ（インターネットプロトコルテレビジョン）信号を記録部を用いて記録するか否かを決定する方法であって、
放送が予定されているデジタルテレビジョン番組またはＩＰＴＶ番組を識別する識別子と、当該番組を表す前記デジタルテレビジョン信号またはＩＰＴＶ信号の少なくとも一つの属性を識別する属性データとを有し、前記デジタルテレビジョン信号及び前記ＩＰＴＶ信号で表されるシグナリングデータをそれぞれ読み取り、
放送が予定されている一つのデジタルテレビジョン番組またはＩＰＴＶ番組が既に録画されているか否かを、前記放送が予定されている一つの番組の識別子と、録画された前記デジタルテレビジョン番組及びＩＰＴＶ番組のそれぞれの識別子とを比較することによって判定し、当該番組が録画されていると判定された場合、前記放送が予定されている番組を表す前記デジタルテレビジョン信号またはＩＰＴＶ信号の前記属性を識別する前記読み取られた属性データと、前記録画された番組を表すデジタルテレビジョン信号またはＩＰＴＶ信号の前記属性を識別する前記読み取られた属性データとを比較することによって、前記放送が予定されている番組を録画すべきか否かを、ユーザとの対話処理無しに決定し、
前記放送が予定されている番組が録画すべきであると決定された場合に、前記記録部に前記放送が予定されている番組を表す前記デジタルテレビジョン信号またはＩＰＴＶ信号を、ユーザとの対話処理無しに記録させるよう制御する
記録方法。
【請求項１８】
請求項１７に記載の記録方法であって、
前記記録部で記録される前記放送デジタルテレビジョン信号を受信しデコードするステップをさらに具備する
記録方法。
【請求項１９】
請求項１８に記載の記録方法であって、
前記シグナリングデータを受信しデコードするステップをさらに具備する
記録方法。
【請求項２０】
請求項１７乃至１９のいずれか一つに記載の記録方法であって、
前記番組を表す前記デジタル信号の前記属性は、前記放送デジタル信号の少なくとも一つのビデオ属性を有する
記録方法。
【請求項２１】
請求項２０に記載の記録方法であって、
前記少なくとも一つのビデオ属性は、ビデオ画像解像度である
記録方法。
【請求項２２】
請求項１７乃至２１のいずれか一項に記載の記録方法であって、
前記シグナリングデータは、デジタルビデオ放送規格に準拠したテーブルで構成される
記録方法。
【請求項２３】
請求項１７乃至２２のいずれか一項に記載の記録方法であって、
前記シグナリングデータはTV-Anytime Forum（ティー・ブイ・エニータイム・フォーラム）の仕様に準拠し、
前記識別子はコンテンツ参照識別子（ＣＲＩＤ）である
記録方法。
【請求項２４】
請求項２３に記載の記録方法であって、
前記シグナリングデータを読み取るステップは、予定されている番組の前記コンテンツ参照識別子を識別するために、番組ロケーションテーブル（ＰＬＴ）を検索する
記録方法。
【請求項２５】
請求項２３または２４に記載の記録方法であって、
前記シグナリングデータを読み取るステップは、予定されている番組のコンテンツ参照識別子を、事前に設定された時間間隔で検索するステップを有する
記録方法。
【請求項２６】
請求項２２乃至２５のいずれか一項に記載の記録方法であって、
前記シグナリングデータを読み取るステップは、前記予定されている番組を表す前記放送デジタル信号の前記少なくとも一つの属性を、番組情報テーブル（ＰＩＴ）から抽出する
記録方法。
【請求項２７】
請求項１７乃至２６のいずれか一項に記載の記録方法であって、
前記番組を表す前記デジタル信号の前記少なくとも一つの属性は、前記放送デジタル信号の少なくとも一つのオーディオ属性を有する
記録方法。
【請求項２８】
請求項１７乃至２７のいずれか一項に記載の記録方法であって、
前記録画された番組を表す前記デジタル信号を削除するステップをさらに具備する
方法。
【請求項２９】
請求項１７乃至２８のいずれか一項に記載の記録方法であって、
前記番組を表す前記放送デジタル信号の前記属性の一つ以上を記録するステップをさらに具備する
記録方法。
【請求項３０】
記請求項１７乃至２９のいずれか一項に記載の記録方法であって、
前記判定するステップは、さらに
放送が予定されている前記番組の中から、その番組については前記装置が違う放映を録画するという命令を記憶した番組の更なる放映があるか否かを、前記放送が予定されている番組の識別子と、前記装置が前記命令を記憶したそれぞれの番組の識別子とを比較することによって判定し、
更なる放映があると判定されると、前記放送が予定されている番組の前記更なる放映を表す前記放送デジタル信号の前記属性を識別する前記読み取られた属性データと、前記装置が前記命令を記憶した前記番組の前記違う放映を表す前記デジタル信号の前記属性を識別する前記読み取られた識別データとを比較することによって、前記番組の前記更なる放映を録画すべきか否かを決定する
記録方法。
【請求項３１】
請求項１７乃至３０のいずれか一項に記載の記録方法であって、
電子番組ガイドを提供するステップをさらに具備し、
前記番組ガイドは、
放送が予定されている番組を表示し、
ユーザが前記予定から録画用の番組を選択することを可能にし、
前記ユーザが前記選択された番組に関して今後の更なる放映の録画の設定をすることを可能にするものであり、
前記判定及び制御するステップは、前記設定がされたことに応じて行われるように構成される
記録方法。
【請求項３２】
請求項１７乃至３１のいずれか一項に記載の記録方法であって、
前記記録部は、前記装置に一体化しているハードドライブ、外部ハードドライブ、フラッシュメモリカード、フラッシュメモリスティック、ＣＤ、ＤＶＤ、または任意の他の適当なデータ記憶媒体のいずれか一つに記録する
記録方法。
【請求項３３】
デジタル信号を記録するデジタル放送メディア記録装置で動作可能なコンピュータプログラムであって、実行中に前記デジタル放送メディア記録装置を請求項１７乃至３２のいずれか一つにしたがって作動させることが可能なコンピュータプログラム。
【請求項３４】
請求項３３に記載のコンピュータプログラムを記憶するコンピュータ読み取り可能な記憶媒体。
【発明の詳細な説明】
【技術分野】
【０００１】
本発明は、番組を表す放送デジタル信号を記録する記録装置及び記録方法に関する。
【背景技術】
【０００２】
従来、番組を表す放送デジタル信号は記録装置によって記録されるので、そのデジタル信号で表される番組をデジタル信号が放送される時以外に見ることができる。番組は、他の文献ではイベントと呼ばれることがあり、ユーザが従来テレビ番組と呼ぶものである。例えば、「フレンズ」の一話が一つの番組であり、「トップ・ギア」の一話が別の番組である。
【０００３】
多くの番組が現在二回以上放送され、録画された番組が別の時間及び／または別のテレビチャンネル（テレビチャンネルはこの意味では他の文献でサービスと呼ばれるものと同じであり、例えば、ＢＢＣ１が一つのテレビチャンネルであり、ＢＢＣ２が別のテレビチャンネルである）でその後繰り返されることがある。さらに、繰り返された番組を表す放送デジタル信号は、その番組を表す最初の放送デジタル信号とは異なる一つ以上の属性を有することがある。例えば、その番組の最初の放送は標準精細度（ＳＤ；Standard Definition）であったが、次の放送は高精細度（ＨＤ；High Definition）である場合がある。
【０００４】
記録装置のユーザは、属性が異なるという理由で、当初放送されたバージョンに加えて、またはその代わりにその番組の繰り返されたバージョンを見る方を好むかもしれない。例えば、上記の例で、ユーザは、その番組の標準精細度バージョンよりはむしろその番組の高精細度バージョンを見る方を好むかもしれない。
【０００５】
これにより、一つの番組が繰り返される予定であるか否かを確かめるために利用可能なチャンネルすべてのスケジュールにまず目を通し、もし繰り返される予定があるならば、予定されている番組を表すデジタル信号の属性のいずれかが録画された番組を表すデジタル信号の同じ属性より好ましいかどうかをチェックすることをユーザは要求される。ユーザが予定されている番組を表すデジタル信号を記録することを決めた場合、デジタル信号を記録するように記録装置を設定するかまたは次に放送されるときにデジタル信号を忘れずに記録するように記録装置を設定することが必要である。  
【特許文献１】特開２００１−２７５０７２号公報
【発明の開示】
【発明が解決しようとする課題】
【０００６】
上記の処理を行うために必要な情報のいくつか、またはすべては、ユーザが直接利用できないかもしれない。さらに、新しい番組をスケジューリングウィンドウに現れるときにチェックするために、ユーザは定期的に処理を繰り返すことが必要である。この処理は時間がかかり、ユーザが手動で処理する必要がある大量のデータが原因でエラーをもたらす可能性がある。
【課題を解決するための手段】
【０００７】
本発明は、番組を表す放送デジタル信号を記録可能な記録部を有するデジタル放送メディア記録装置であって、放送が予定されている番組と、当該番組を表す前記放送デジタル信号の少なくとも一つの属性とをそれぞれ識別するシグナリングデータを読み取る読み取り手段と、放送が予定されている一つの番組が既に録画されているか否かを判定し、当該番組が録画されていると判定された場合、前記放送が予定されている番組を表す前記放送デジタル信号の前記属性と前記録画された番組を表すデジタル信号の前記属性との比較に基づいて、前記放送が予定されている番組を録画すべきか否かを決定する判定手段と、前記判定手段により前記番組が録画すべきであると決定された場合に、前記記録部に前記番組を表す前記放送デジタル信号を記録させるよう制御する制御手段とを具備するデジタル放送メディア記録装置を提供する。
【０００８】
上記に定義された本発明は、既に録画されている一つの番組が繰り返し放送されることが予定されているならば、自動的に認識でき、その繰り返された番組を表すデジタル信号の一つ以上の属性または特性が録画されたバージョンの同等の特性よりも優れているとみなされるならば、予定されているバージョンもその後放送時に録画することができるという利点を提供する。予定されている番組を録画するか否かの決定は、録画された番組と予定されている番組を表すデジタル信号の属性の所定の順位付けに基づくことができるので、決定時にユーザとの対話の必要はない。
【０００９】
いくつかの実施形態では、判定手段は、放送が予定されている前記番組が既に録画されているか否かを判定するために、放送が予定されている一つの番組の識別子を録画された番組の各々の識別子と比較するように設定されている。これは、録画された番組と予定されている番組の両方を識別子を使って容易に識別できるので、予定されている番組が既に録画された番組と同一であるか否かをチェックするのが簡単であるという利点を提供する。
【００１０】
いくつかの実施形態では、前記放送デジタル信号は、デジタルテレビジョン信号である。放送デジタル信号は、例えば、無線地上波または衛星方法またはケーブルを介してなどいかなる方法でも放送できる。同様に、例えば、ＩＰＴＶ信号などは、ネットワークを介して放送できる。別の実施形態では、放送デジタル信号は、デジタルラジオ信号である。これは、本発明がテレビ番組とラジオ番組のどちらにも適用できることを意味する。
【００１１】
デジタルテレビジョン信号に関連するいくつかの実施形態によれば、前記シグナリングデータはTV-Anytime Forum（ティー・ブイ・エニータイム・フォーラム）の仕様に準拠し、前記識別子はコンテンツ参照識別子（ＣＲＩＤ）である。これは、放送が予定されている番組を表すデジタル信号がすでに録画されているか否かを識別するために、デジタルテレビに関連する本発明の適用と併せて従来のシグナリングデータまたはメタデータが使用できることを意味する。
【発明を実施するための最良の形態】
【００１２】
よりよく理解するために、本発明の一実施形態を非限定的例として添付の図面を参照しながら説明する。
【００１３】
以下の例は、デジタルテレビジョン信号に関する。
【００１４】
本発明は、放送が予定されている番組及びその番組を表す放送デジタル信号の少なくとも一つの属性を識別するために、シグナリングデータを使用する。図１及び２に示す実施形態では、シグナリングデータは、ＤＶＢ規格に準拠している。
【００１５】
ＤＶＢでは、シグナリングデータはパケットにまとめられ、シグナリングデータの各パケットは特定のテーブルと対応付けられ、その配置と内容はEN 300 468で定義するものに準拠する。EN 300 468で定義するように、各シグナリングデータパケットはテーブル識別子を有し、テーブル識別子はそのパケットが属するテーブルを指定する。各シグナリングデータパケットは、特に番組を表すデジタル信号のオーディオ及び／またはビデオ属性に関するデータを含む「ペイロード」も含む。
【００１６】
テーブル識別子は、例えば、どの番組を放送する予定になっているかについての情報、予定されている番組を表す放送デジタル信号の属性についての情報など必要な情報を含むシグナリングデータの適切なパケットの位置を示すために使用される。
【００１７】
図示の実施形態では、シグナリングデータは、コンテンツ参照識別子（ＣＲＩＤ）を得るために使用され、ＣＲＩＤは予定されている番組及び録画された番組を識別するために使用される。ＣＲＩＤは、TV-Anytime Forum（ティー・ブイ・エニータイム・フォーラム）の規格に準拠したシグナリングデータにおいて使用され、固有の番組コンテンツを表す。したがって、繰り返される番組は、元の番組と同じＣＲＩＤを有することになる。
【００１８】
しかしながら、繰り返し放送される番組（以下単に、「繰り返される番組」と称する場合もある）を表すデジタル信号は、たとえ元の番組を表すデジタル信号と同じＣＲＩＤを有していたとしても、異なる属性を有することがある。例えば、繰り返される番組を表すデジタル信号は、その番組のビデオ画像解像度がより高いバージョンであるかもしれない。
【００１９】
予定されている番組（すなわち、繰り返されている番組）のデジタル信号属性は、シグナリングデータから得られ、繰り返される番組を録画すべきがどうかを判定するために、録画された番組の対応するデジタル信号属性と比較される。
【００２０】
図１は、本発明の一実施形態に係る記録装置１の配置を示す。
【００２１】
図１に示す記録装置１は、チューナー３、デマルチプレクサ４、プロセッサ５、記憶媒体６、及び記録部７を有する。代替実施形態は、チューナー３、デマルチプレクサ４、記憶媒体６のうちの一つ以上を備えないこともある。さらに別の代替実施形態では、記録部は不必要とされるかまたはプロセッサ５に一体化され、予定されている番組を表すデジタル信号を記憶媒体６に出力するために記録命令がプロセッサ５から直接デマルチプレクサ４に出力される。
【００２２】
記録装置の実施形態としては、例えば、独立したテレビジョン部または一体となったテレビジョン／記録部と共に作動するのに適した記録装置、及び既存の記録部または一体となったテレビジョン／記録部と共に用いる独立した記録装置がある。
【００２３】
チューナー３は、番組を表す多重化されたデジタルテレビジョン信号をアンテナ２を介して受信し、多重化されたデータストリームをデマルチプレクサ４に出力する。デマルチプレクサ４は、チューナー３から出力されたストリームを一つ以上のビデオ信号、一つ以上のオーディオ信号、及びシグナリングデータに分離する。一つの番組を表すデジタル信号は、デマルチプレクサ４から出力されたオーディオ信号とビデオ信号とを備える。その番組を表すデジタル信号は、記録するようにとの命令がプロセッサ５から発せられるか否かに応じて、記録部７によって記憶媒体６に記録されることが可能である。プロセッサ５が番組を表すデジタル信号を記録する命令を発するか否かについてどのようにして決定に達するかは、図２を参照して後述する。
【００２４】
オーディオ及びビデオ信号は、図示されないテレビ画面にも送信されることが可能である。
【００２５】
デマルチプレクサ４から出力されたシグナリングデータは、プロセッサ５がそれを用いて特定の番組を表すデジタル信号を記録するか否かを決定する情報を含む。プロセッサ５が使用するシグナリングデータは、放送が予定されている番組（以下単に、「予定されている番組」と称する場合もある）及びそれらの番組を表す放送デジタル信号の属性についての情報を含む。それから、予定されている番組を表すデジタル信号をその後続いて記録すべきか否かの決定をする。したがって、デマルチプレクサ４から出力される番組を表すデジタル信号を記録するか否かの決定は、その時以前にデマルチプレクサ４からプロセッサ５に出力されるシグナリングデータに基づいて下される。予定されている番組を表す放送デジタル信号を記録するか否かを判定するために行われるステップは、図２を参照してより詳細に後述する。
【００２６】
図１に示す記録装置１は、番組を表す放送デジタル信号を記憶媒体６に記録できる。番組のオーディオ及びビデオ信号を記録するだけでなく、番組を表す放送デジタル信号の属性情報も記憶媒体６に記録され記憶される。これにより、プロセッサ５は、放送が予定されている番組を表す放送デジタル信号の属性を録画された番組を表すデジタル信号の属性と比較することができる。
【００２７】
記憶媒体６は、例えば、装置と一体化しているハードドライブ、外部ハードドライブ、フラッシュメモリカード、フラッシュメモリスティック、ＣＤ、ＤＶＤ、または他の光学または磁気光学記憶媒体など任意の適当なデータ記憶媒体でよい。記録装置１は、例えばＣＤドライブ、ＤＶＤドライブなど記憶媒体に記録するのに必要な装置も備えることもある。
【００２８】
記憶媒体６に記録する場合、番組を表すデジタル信号は記憶媒体６に直接記録可能である。あるいは、エンコード／デコード処理を使用可能である。録画がエンコード及びデコードを伴うならば、どのエンコード／デコード処理を使用するかを記録装置のユーザが管理可能である。エンコード／デコード処理の種類は、録画の（例えば、オーディオまたはビデオ品質の点で）所望の品質に基づいて選択できる。
【００２９】
図２は、図１に示す記録装置が行うステップを示す。
【００３０】
ステップＳ１０で、プロセッサ５は、デマルチプレクサ４から出力されたシグナリングデータのパケットを受信する。次に、プロセッサ５は、これから予定されている番組のコンテンツ参照識別子（ＣＲＩＤ）を含むデータのパケットを識別するために、受信するシグナリングデータのパケットのヘッダー情報を使用する。
【００３１】
予定されている番組のＣＲＩＤを識別するためには、シグナリングデータの任意の適当なパケットを使用可能である。例えば、番組ロケーションテーブル（ＰＬＴ）が使用できる。
【００３２】
予定されている番組すべてのＣＲＩＤを識別するためには、プロセッサ５は、ステップＳ１０で、シグナリングデータのパケットをさらに得るためにチューナー３で再受信することが必要な場合がある。一つのＣＲＩＤが使用可能である予定されている番組すべてのＣＲＩＤを識別するのに必要なシグナリングデータを得るために必要に応じて何度でもチューナー３で再受信してもよい。
【００３３】
一つのＣＲＩＤが使用可能である予定されている番組すべてのＣＲＩＤがステップＳ１０で得られると、プロセッサ５は、ステップＳ２０で、予定されている番組の各ＣＲＩＤを順に記憶媒体６に記憶された録画された番組すべてのＣＲＩＤと比較する。プロセッサ５は、ステップＳ３０で、予定されている番組のＣＲＩＤのいずれかが録画された番組のＣＲＩＤのいずれかと同一であるか否かを判定する。このステップで、プロセッサ５は、記憶媒体６上の録画された番組のいずれかの更なる放映（すなわち、繰り返し）が録画される予定であるか否かをステップＳ１０で得られたシグナリングデータの対象のスケジューリングウィンドウ内で明らかにする。
【００３４】
予定されている番組のＣＲＩＤのいずれも録画された番組のＣＲＩＤのいずれにも一致しないと判定される場合（Ｓ３０：ＮＯ）、すなわち、録画された番組のいずれも繰り返される予定でない場合、プロセッサ５は、次にステップＳ１００に進み、予定されている番組のＣＲＩＤ用シグナリングデータをさらにチェックする命令を待つ。
【００３５】
予定されている番組のいずれかのＣＲＩＤが録画された番組のＣＲＩＤのいずれかと同一であるとステップＳ３０で識別されると（Ｓ３０：ＹＥＳ）、次に、予定されている番組と録画された番組とで共有されるＣＲＩＤのリストが生成される。
【００３６】
ステップＳ４０で、プロセッサ５は、録画された番組と同じＣＲＩＤを有するリスト内の最初の予定されている番組を表す放送デジタル信号の属性を、シグナリングデータから得る。ステップＳ４０で使用されるシグナリングデータは、予定されている番組を表す放送デジタル信号の属性の詳細を含む任意の適当なテーブルから取得可能である。例えば、シグナリングデータは、番組情報テーブル（ＰＩＴ）または番組マップテーブル（ＰＭＴ）に属するシグナリングデータのパケットである。予定されている番組を表す放送デジタル信号の必要な属性すべての情報を得るためには、二つ以上のテーブルに属するシグナリングデータを使用でき、一つのテーブルから得られる属性もあれば、一つ以上の他のテーブルから得られる属性もある。
【００３７】
ステップＳ５０で、プロセッサ５は、予定されている番組を表す放送デジタル信号の一つ以上の属性を、予定されている番組と同じＣＲＩＤを有する録画された番組を表すデジタル信号の属性と比較する。
【００３８】
プロセッサ５は、番組を表す二つのデジタル信号の多くの異なる属性を比較可能である。例えば、属性は、番組が白黒かカラーか、番組のビデオ画像解像度は何か、映画の形式は何か（例えば、ワイドスクリーン）、字幕はその番組に使用可能か、何のコーディングがビデオ信号に使用されたかなどの放送デジタル信号のビデオ属性である。ビデオ画像解像度属性は、例えば、番組が高精細度（ＨＤ）か標準精細度（ＳＤ）かどうかである。異なる番組については、異なる属性が比較される。
【００３９】
比較は、予定されている番組を表す放送デジタル信号に特有の属性に割り当てられた値と、番組を表す記録されたデジタル信号に特有の属性に割り当てられた値（例えば、番組がＨＤかＳＤかどうか）の比較を含むことが可能である。同じ番組の別々の放映が別々の識別属性を有することが可能な場合もある。あるいは、またはさらに、比較は、ある特定の属性に関する情報が放送デジタル信号と記録されたデジタル信号の各々に使用可能であるか否かのテストを含むこともできる。
【００４０】
プロセッサ５は、番組を表すデジタル信号のオーディオ属性を比較することもできる。例えば、オーディオ属性は、番組がステレオオーディオかどうか、あるいはマルチチャンネルオーディオ（例えば、５．１または７．１オーディオ）か、及びオーディオが高精細度（ＨＤ）か標準精細度（ＳＤ）かを含むことも可能である。
【００４１】
プロセッサ５は、番組を表すデジタル信号の属性に加えて、またはその代わりに、その番組自身の属性を比較することも可能である。番組の属性は、例えば、番組のバージョンがカットされているかカットされていないか、番組がオムニバス版の一部として上映されているか否かを含む。オムニバス版の一部として上映される場合、オムニバス版の番組の残りを録画する命令を出すことも可能である。
【００４２】
図１及び２を参照してここで説明される番組を表すデジタル信号の属性と同じように、番組属性は、シグナリングデータから得られ、記憶され、比較される。
【００４３】
図示の実施形態では、ユーザが二つのデジタル信号のどの属性を比較すべきかを特定することがある。あるいは、属性のデフォルトリストが自動的に比較されることもある。
【００４４】
ステップＳ６０で、ステップＳ５０で比較された一つ以上の属性が録画された番組よりも予定されている番組において何らかの基準で優れているか否かを判定する。
【００４５】
ある属性がより優れていると判定されるか否かは、記録装置のユーザによって決められる。一般に、属性の何の構成要素がより優れているか否かは、ユーザの希望により決定される。例えば、ある番組が標準精細度で録画され、録画された番組と同じＣＲＩＤを有する予定されている番組を表すデジタル信号の属性が、予定されている番組が高精細度であることを示し、ユーザが記憶媒体６に記憶された番組の高精細度バージョンを有する方を好むならば、記録装置１は、番組の高精細度バージョンを表すデジタル信号を記録するように自動的に設定できる。
【００４６】
あるいは、ユーザが録画されたファイルのサイズに関心があることがある。これは、例えば、記憶容量が限られているためであり、録画された番組がプレーステーションポータブル（ＰＳＰ）など手持ち式携帯用機器で使うことが意図されている場合である。この場合、記録装置は、既に高精細度で録画された番組の標準精細度を表すデジタル信号を記録するよう自動的に設定される。ユーザは、番組の予定された好ましいバージョンが録画されると、記憶媒体６からその番組の最初に録画されたバージョンを削除するオプションをプロセッサ５から与えられることもある。あるいは、プロセッサ５は、その番組の両バージョンを記憶媒体６に保存することもある。
【００４７】
予定されている番組の属性が録画された番組の属性より優れているか否かをプロセッサ５が決定する基準は、記録装置のユーザによって事前に設定される。他の実施形態では、ユーザは、予定されている番組を表すデジタル信号の属性が録画された番組を表すデジタル信号の属性より優れているか否かを決定するため、入力するようプロセッサ５にプロンプトされる。プロンプトは、例えば、画面上のプロンプトであり、ユーザは、例えば、リモコン上のボタンを押すことでプロンプトに応じることができる。
【００４８】
ステップＳ５０では、一つまたは二つ以上の属性が比較される場合がある。
【００４９】
ステップＳ６０で、予定されている番組を表すデジタル信号の属性のいずれもが録画されたバージョンの対応する属性よりも好ましくないと決定されると、予定されている番組を録画しない決定がなされ、プロセッサ５は、ステップＳ９０に進み、一つの録画された番組と同じＣＲＩＤを有する予定されている番組が記載された、ステップＳ３０で生成されたリスト内にさらに番組があるか否かを判定する。
【００５０】
ステップＳ６０で、予定されている番組を表すデジタル信号の一つの属性が録画された番組を表すデジタル信号の対応する属性より好ましいと決定されると（Ｓ６０：ＹＥＳ）、予定されている番組を表すデジタル信号を放送時に記録する命令がステップＳ７０で記憶される。その番組を表すデジタル信号が放送される時に、番組を表すデマルチプレクサ４から出力されたデジタル信号を記録する命令がステップＳ７５で記録部７に順に送信される。次に、記録部７は、番組を表す放送デジタル信号を記憶媒体６に記録する。
【００５１】
番組を表すデジタル信号を記録する命令が正確な時間に記録部７に送信されることを保証するために、プロセッサ５は、デジタル信号の放送の正確な時間を適切なシグナリングデータを用いて更新できる。適切なシグナリングデータは、デジタル信号を記録する決定がなされてからデジタル信号が実際に放送されるまでのどの時点でもデマルチプレクサ４からプロセッサ５に出力される。放送時間を更新するために使用されるシグナリングデータは、任意の適当なテーブル、例えば、イベント情報テーブル（ＥＩＴ）から得られる。
【００５２】
ステップＳ８０で、ステップＳ４０でシグナリングデータから得られた番組を表すデジタル信号の属性がプロセッサ５から記憶媒体６に送信され、そこに記憶される。番組を表すデジタル信号が（ステップＳ７５で与えられた命令に応じて）記録部７によってその後記録されると、ステップＳ８０で記憶された属性によって参照されることができるように、記憶媒体６に記憶される。
【００５３】
代替実施形態では、番組を表すデジタル信号の属性は、デジタル信号自身が記録されるのと同時に記憶される。これは、番組を表すデジタル信号が出力されるのと同時にデマルチプレクサ４から出力されるシグナリングデータを、属性を抽出し記憶媒体６に記憶する記録部７にプロセッサ５が送信することによって実現される。
【００５４】
ステップＳ９０で、プロセッサ５は、既に録画された番組と同じＣＲＩＤを有するが、それらを表すデジタル信号の属性が、対応する録画された番組を表すデジタル信号と比較されていない、予定されている番組がさらにあるか否かを判定する。
【００５５】
ステップ９０で、録画された番組と同じＣＲＩＤを有するが、それらを表すデジタル信号の属性が比較されていない、予定されている番組がさらにあると判定されると、プロセッサ５は、ステップＳ４０に戻り、上記のように、予定されている番組を表すデジタル信号の属性をシグナリングデータから得る。それから、プロセッサ５は、録画された番組と同じＣＲＩＤを有するが、それらを表すデジタル信号の属性が、録画された番組を表すデジタル信号の属性と比較されていない、予定されている番組はこれ以上ないとステップＳ９０で判定されるまで、必要に応じて、ステップＳ４０、Ｓ５０、Ｓ６０、Ｓ７０、Ｓ７５、Ｓ８０、及びＳ９０を周期的に繰り返す。これが判定されると（Ｓ９０：ＮＯ）、プロセッサ５は、ステップＳ１００に進む。
【００５６】
ステップＳ７０で記録するようにという命令が出された二つ以上の番組を表す各デジタル信号の各放送時間のすべてまたは一部が同じである場合、ユーザは、二つ以上の番組を表す二つ以上の放送デジタル信号のうちのどちらを記録すべきかを決定するようプロセッサ５に指示されることがある。あるいは、プロセッサ５は、番組を表す放送デジタル信号のすべてを同時に記録することもあり得る。
【００５７】
ステップＳ１００で、プロセッサ５は、受信される次のスケジューリングウィンドウ内の予定されている番組のＣＲＩＤを判定するためにシグナリングデータをさらに読み取るようにという命令を待つが、スケジューリングウィンドウは、どの程度まで前もってシグナリングデータが予定されている番組の情報を提供するかによって決定される。
【００５８】
プロセッサ５は、シグナリングデータを、例えば一定の間隔で、例えば一日のうちの事前に設定された時間に、または記録装置のユーザの要求に応じて読み取ることができる（Ｓ１００：ＹＥＳ）。
【００５９】
図２のステップＳ１０〜Ｓ１００はすべて図１に示すプロセッサ５で実行されるコンピュータプログラムによって行われる。コンピュータプログラムはメモリなどのコンピュータ読み取り可能な記憶媒体に記憶されるか、ネットワークを介してデバイスに送信される。その間コンピュータプログラムは搬送波によって表される。
【００６０】
他の実施形態では、前記ステップＳ１０〜Ｓ１００で略述された手順が異なることがある。いくつかの非限定的例を以下に説明する。
【００６１】
第一に、予定されている番組を表すデジタル信号の属性を得るステップ（上記ステップＳ４０）は、予定されている番組のＣＲＩＤが得られるのと同時に、すなわちステップＳ１０で行われてもよい。
【００６２】
第二に、上述の方法がすでに録画された番組に関するのに対して、録画予定である番組に対して随意にさらに行うことが可能であり、そのために記録装置は、今後放送が予定されている番組の一回の放映を録画する命令を記憶している。この場合、ステップＳ２０で、プロセッサ５は、放送が予定されている番組のＣＲＩＤを録画予定の番組のＣＲＩＤに対してさらに比較する。同様に、プロセッサ５は、ステップＳ３０で、同一であるＣＲＩＤに基づいて、放送が予定されている番組の中から、その番組については違う放映を録画予定である番組の更なる放映があるか否かを判定する。次に続くステップＳ４０〜Ｓ１００は、録画予定の番組をさらに参照して、上記のように行われる。
【００６３】
別の例として、プロセッサ５は、ステップＳ３０で、予定されている番組が録画された番組と同じＣＲＩＤを有する番組すべてのリストをコンパイルする代わりに、その予定されている番組が識別され次第、録画された番組と同じＣＲＩＤを有する番組を表すデジタル信号の属性に対してステップＳ４０〜Ｓ９０を行うことも可能である。この代案では、ステップＳ９０が完了すると、シグナリングデータ内の次に予定されている番組のＣＲＩＤが得られ、別の一致が見つかるまで録画された番組すべてのＣＲＩＤと比較され、その時点で、ステップＳ４０〜Ｓ９０をもう一度繰り返す。この代案は、図２に示す手順に適用するか、または予定されている番組を表すデジタル信号の属性を得るステップを、予定されている番組用ＣＲＩＤを得るのと同時に行う上記変形手順に適用できる。
【００６４】
上記記録装置１はアンテナ２で地上波放送テレビジョン信号を受信するが、記録装置１は、無線衛星放送、ケーブルを介した放送、または例えばインターネットプロトコルテレビジョン（ＩＰＴＶ）といったインターネットなどのネットワークを介した放送を含む何らかの手段でテレビジョン信号を受信するように同様に構成できる。ＩＰＴＶの場合、放送デジタル信号は、ＩＰＴＶ信号のいかなる形式でもよい。ＩＰＴＶの場合、ＣＲＩＤまたは他の同等の番組識別子が番組を識別するためにも使用され、したがって、上記の装置及び方法はＩＰＴＶで実現可能である。シグナリングデータは、例えば、ストリーム内の補助データとしてＩＰＴＶ信号に含まれても、別のストリームに含まれても、及び／またはソースへの特別な要求で得られても（例えば、記録装置からサーバへの、シグナリングデータを提供するようにとの要求に応じて得られても）よい。
【００６５】
本発明の一実施形態によれば、本発明の記録装置をデジタルＴＶとＩＰＴＶの両方と併せて使用することが可能である。例えば、記録装置は、図２のステップＳ２０及びＳ３０のように、予定されているＩＰＴＶ番組の番組識別子またはＣＲＩＤがそこから抽出され、録画された番組の記憶された識別子またはＣＲＩＤと比較されるシグナリングデータを受信するＩＰＴＶチューナーと共に使用するかまたはそのＩＰＴＶチューナーを含むことができる。録画された番組及び録画された番組を表すデジタルまたはＩＰＴＶ信号の属性は、デジタルＴＶまたはＩＰＴＶ上で放送してもよい。
【００６６】
図２に示すステップＳ４０〜Ｓ１００は、ＩＰＴＶ番組及び対応付けられるＩＰＴＶ信号に対してその後繰り返される。再び、予定されているＩＰＴＶ番組を表すＩＰＴＶ信号のいずれかの属性が同じＣＲＩＤを有する録画された番組を表す（録画された番組がデジタルテレビかＩＰＴＶで放送されるか否かに応じて）デジタル信号またはＩＰＴＶ信号の同等の属性よりも優れているとみなされるならば、予定されている番組を録画する命令が次に出される。
【００６７】
この場合、記録装置は、デジタルテレビジョン信号とＩＰＴＶ信号の両方からシグナリングデータを受信し、番組を表すデジタルテレビジョン信号と番組を表すＩＰＴＶ信号の両方を記録する命令を出し、録画された番組を表すデジタルテレビジョン信号またはＩＰＴＶ信号の属性を記憶し比較することができる。
【００６８】
デジタルテレビに関する実施形態について先に述べた任意の適切な態様または特徴は、ＩＰＴＶに関する本実施形態に適用可能である。
【００６９】
本発明の別の態様によれば、電子番組ガイド（ＥＰＧ）を提供する手段が提供される。図３に示す実施形態では、ＥＰＧグラフィックスは適当なグラフィックス生成部８を用いて生成され、ＥＰＧ１４がテレビ画面９上でユーザに表示される。図３で、図１に示すものと同じ参照符号を有する項目は類似の機能を持ち、よって詳細に説明しない。
【００７０】
本発明の本実施形態を用いて表示可能なＥＰＧ１４の一例を図４に示す。ＥＰＧ１４は、リストボックス１１に示すようにユーザに予定されている番組を表示するように構成される。
【００７１】
図示の実施形態において、ユーザはリモートコントローラ１０（以下、リモコン１０）を使って表示されたＥＰＧ１４内のカーソルの位置を操作し、リモコン１０上のボタンを用いて番組を強調表示できる。図４で、強調表示された番組は、「休日のヒント」という番組名を有する。それから、ユーザは録画用の強調表示された番組をリモコン１０上のボタンを用いて選択し、録画選択ボックス１２にチェック印を付けることできる。次に、リモコン１０上のボタンを用いて更なる放映録画ボックス１３にチェック印を付けることができ、よって、録画のために選択されていた番組の更なる放映の今後の予定を続いて検索するように記録装置を設定できる。
【００７２】
本実施形態によれば、ユーザは録画用番組を多数の形式で選択でき、またはその番組の多数の放映の録画をその番組の一回の放映を録画する時に設定をすることで選択できる。ボックス１３の設定に応えて、図２と関連して上述した方法を実行することによって、記録装置１は、選択された番組が録画された後だけでなく録画される時までも番組の更なる放映を検索するよう構成されている。
【００７３】
記録装置１は、ユーザが表示部９と対話するために、リモコン１０の代わりに任意の適当な入力部を使用できる。例えば、入力部は、マウス、リモコン、キーパッド、またはキーボードである。また、ユーザが番組を強調表示し、録画用及び今後の放映の録画用番組を選択できるように、任意の適当なＥＰＣ画面形式を使用できる。
【００７４】
図３に示す実施形態では、ユーザがそれを通じてＥＰＧ１４を見ることができる表示部９が記録装置１の一部として示される。代替実施形態では、表示部９は記録装置から独立しており、例えば、表示部９が従来のテレビで記録装置１がセットトップボックスの場合などである。表示部９は、テレビ画面、モニタ、手持ち式コントローラ上のディスプレイなどの任意の適当な表示部である。
【００７５】
他の実施形態に関してここに記載された記録装置１のいかなる態様または特徴もＥＰＧを提供する手段を有する実施形態に適用可能である。
【００７６】
本発明の別の実施形態によれば、本発明の記録装置は、デジタルラジオまたはデジタルオーディオ放送（ＤＡＢ）と共に使用できる。デジタルラジオに関するこのような実施形態では、デジタルラジオチューナーが番組を表すデジタルラジオ信号とシグナリングデータを受信するために使用される。シグナリングデータは、番組を識別する（ＣＲＩＤに類似した）識別子に加えて番組を表すデジタルラジオ信号の属性情報を含む。
【００７７】
一つ以上の予定されている番組が録画された番組と同一であると識別されると、図２に示すステップＳ４０〜Ｓ１００に類似したステップがラジオ番組及びそれを表すデジタル信号に対して行われる。
【００７８】
デジタルテレビジョンに関する実施形態の上記の任意の適切な態様または特徴は、デジタルラジオに関する本実施形態に適用可能である。
【００７９】
本発明の異なる実施形態によれば、記録装置は、デジタルテレビジョン信号、デジタルラジオ信号、及びＩＰＴＶ信号のいかなる組み合わせも受信し処理することができる。
【図面の簡単な説明】
【００８０】
【図１】本発明の実施の形態に係るデジタル放送メディア記録装置の概略図である。
【図２】本発明の実施の形態に係るデジタル放送メディア記録装置が行うステップを示すフローチャートである。
【図３】本発明の実施の形態に係る電子番組ガイドアプリケーション用のデジタル放送メディア記録装置の概略図である。
【図４】本発明の実施の形態が提供する電子番組ガイドの一例である。
【図１】
0005433143.tif 000002
【図２】
0005433143.tif 000003
【図３】
0005433143.tif 000004
【図４】
0005433143.tif 000005